(57)【特許請求の範囲】
【請求項１】
外部から入力されたアナログ音声信号のレベルを、設定されたゲインで増幅する増幅手段と、
前記増幅手段で増幅されたアナログ音声信号をディジタル音声信号に変換する変換手段と、
前記ディジタル音声信号に対して、音質調整のための信号処理を施す音質調整処理手段と、
前記音質調整処理手段による信号処理前のディジタル音声信号のレベルを検出し、該検出したレベルに基づいて、前記増幅手段に入力されたアナログ音声信号が前記増幅手段で所定のレベルに増幅されるように前記増幅手段のゲインを設定する設定手段と、
前記音質調整処理手段による信号処理前のディジタル音声信号のレベルと、前記音質調整処理手段による信号処理後のディジタル音声信号のレベルとの差分を検出し、該検出した差分に応じたゲインで、前記音質調整処理手段による信号処理後のディジタル音声信号を増幅してレベル補正を行なう補正手段と、
を備えた信号処理装置。
【請求項２】
外部から入力されたアナログ音声信号のレベルを、設定されたゲインで増幅する増幅手段と、
前記増幅手段で増幅されたアナログ音声信号をディジタル音声信号に変換する変換手段と、
前記ディジタル音声信号に対して、音質調整のための信号処理を施す音質調整処理手段と、
前記音質調整処理手段による信号処理前のディジタル音声信号のレベルを検出し、第１のレベル以上のレベルを検出した場合には、前記音質調整処理手段による信号処理前のディジタル音声信号のレベルが前記第１のレベル未満となるように前記増幅手段のゲインの設定値を低下させ、該設定値低下後に前記第１のレベル未満のレベルを検出した場合には、前記増幅手段のゲインの設定値を元に戻す設定手段と、
前記音質調整処理手段による信号処理後のディジタル音声信号のレベルを検出し、該検出したレベルに応じたゲインで前記音質調整処理手段による信号処理後のディジタル音声信号を増幅して該ディジタル音声信号が第２のレベルとなるようにレベル補正を行なう補正手段と、
を備えた信号処理装置。
【発明の詳細な説明】
【技術分野】
【０００１】
本発明は、入力信号のレベルを自動的に調整する信号処理装置に関するものである。
【背景技術】
【０００２】
デジタルビデオカメラやデジタルスチルカメラの動画音声を録音するための入力経路には、入力されたアナログ音声信号をディジタル信号に変換したり、音質調整したりするための装置（以下、信号処理装置）が設けられる。
【０００３】
図３は、従来の信号処理装置１００の構成例を示す図である。この信号処理装置１００は、入力端子１０２、アナログ信号処理ブロック１０４、ディジタル信号処理ブロック１０６、出力端子１０８、及びＡＬＣ（Auto Level Controller)１１０を備えている。
【０００４】
不図示のマイクを介して入力端子１０２に入力されたアナログの音声信号は、アナログ信号処理ブロック１０４に入力される。アナログ信号処理ブロック１０４は、入力アンプであるＰＧＡ（Proguramable Gain Amplifire）１１２、及びＡＤＣ（Analog-to-Digital Converter）１１４を備えている。アナログ信号処理ブロック１０４に入力されたアナログ音声信号は、まずＰＧＡ１１２で増幅された後、ＡＤＣ１１４でディジタル音声信号に変換され、後段のディジタル信号処理ブロック１０６に入力される。
【０００５】
ＰＧＡ１１２は外部制御可能（Programable）なアンプであり、そのゲインは任意の値に設定することができる。ここでは、ＰＧＡ１１２のゲインは、ＡＬＣ１１０からの制御信号に応じた値に設定され、入力されたアナログ音声信号を該設定されたゲインで増幅する。また、ＡＤＣ１１４には、近年、ΣΔ型のＡＤＣ等が一般的に使用されうる。ΣΔ型のＡＤＣ１１４の場合には、出力されるデジタル音声信号が、１ビット、１２８Ｆｓ（ｘ１２８倍サンプリング・レート）などの低ビット高サンプリング・レートのデータとなる。従って、後段のディジタル信号処理ブロック１０６では、まず間引き処理を実行し、サンプリング・レートを落とす（間引く）必要がある。この間引き処理を実行しているのがディジタル信号処理ブロック１０６に含まれるデシメーションフィルタ１１６である。
【０００６】
ディジタル信号処理ブロック１０６は、更に、ＤＣカット用High Pass Filter（以下、ＨＰＦ）１１８を備え、デシメーションフィルタ１１６でディジタル音声信号のサンプリング・レートを落とした後は、ＤＣカット用High Pass Filter（以下、ＨＰＦ）１１８で、ＡＤＣ１１４のディジタル変換で発生した余分な直流成分をカットする。
【０００７】
ＤＣカット用ＨＰＦ１１８の後段には、ＡＬＣ１１０が設けられている。ＡＬＣ１１０は、ＤＣカット用ＨＰＦ１１８から入力されたディジタル音声信号のレベルに基づいて、ＰＧＡ１１０のゲインを制御し、入力音声レベルを自動的に一定のレベルに調節する。ただし、無制限で一定にしてしまうと音声の抑揚感が全くなくなり、聴感上の違和感が出るため、Ｍａｘゲイン値の設定等により、ある程度の制限をかけることが一般的とされる。なお、ＡＬＣ１１０は、入力されたディジタル音声信号のレベルを検出してゲイン制御する回路であって、入力されたディジタル音声信号に対して信号処理は施さずに、そのままディジタル信号処理ブロック１０６の音質調整フィルタ処理部１２０に出力する。
【０００８】
音質調整フィルタ処理部１２０では、音質調整のためのフィルタ処理が実行される。音質調整フィルタ処理部１２０は、風きり音除去用High Pass Filter（ＨＰＦ）１２２、およびノッチフィルタ１２４を備えている。風きり音除去用ＨＰＦ１２２は、マイクから入力された低域の風きり音を除去する。このフィルタは、所定のカットオフ周波数（例えば１００Ｈｚ〜２００Ｈｚ程度）で使用される。風きり音除去後、ノッチフィルタ１２４は、実装する機器に応じて発生する特定周波数のノイズを除去する。音質調整フィルタ処理部１２０でフィルタ処理されたディジタル音声信号は、出力端子１０８から録音データとして出力される。
【０００９】
なお、上記図３に示す信号処理装置１００の他、図４に示すような信号処理装置１４０も知られている。
【００１０】
信号処理装置１４０は、入力端子１４２、アナログ信号処理ブロック１４４、ディジタル信号処理ブロック１４６、ＡＬＣ１４８、及び出力端子１５０を備えている。ディジタル信号処理ブロック１４６は、音質調整フィルタ処理部１６０を備え、ＡＬＣ１４８は、音質調整フィルタ処理部１６０の後段に配置されている。
【００１１】
入力端子１４２から入力されたアナログの音声信号は、アナログ信号処理ブロック１４４に入力される。アナログ信号処理ブロック１４４では、まずＰＧＡ１５２でアナログ信号を増幅し、該増幅したアナログ音声信号をＡＤＣ１５４でディジタル音声信号に変換する。ＰＧＡ１５２の機能は上記信号処理装置１００のＰＧＡ１１２と同じであるが、この図４のＰＧＡ１５２のゲインは常に固定とされる。
【００１２】
続いて、ディジタル信号処理ブロック１４６にディジタル音声信号が入力されると、デシメーションフィルタ１５６で間引き処理を行ない、ＤＣカット用ＨＰＦ１５８でＤＣ成分をカットし、音質調整フィルタ処理部１６０の風きり音除去用ＨＰＦ１６２で風きり音を除去し、音質調整フィルタ処理部１６０のノッチフィルタ１６４でノイズ除去する。
【００１３】
その後、ディジタル音声信号はレベル調整用のＡＬＣ１４８に入力される。ＡＬＣ１４８は、増幅機能を備え、入力されたディジタル音声信号のレベルに応じて該増幅機能のゲインを設定し、該設定したゲインを乗算して入力されたディジタル音声信号を増幅し、レベル調整を行なう。ディジタル音声信号は、ＡＬＣ１４８でレベル調整が行なわれた後、出力端子１５０から録音データとして出力される。
【００１４】
図３の構成の場合、ＡＬＣ１１０によりＰＧＡ１１２のゲインが制御され、かつ、ＡＬＣ１１０はディジタル信号処理ブロック１０６の音質調整フィルタ処理部１２０の前段に挿入されていることから、ＡＬＣ１１０でのレベル調整の後に音質調整フィルタ処理部１２０でのフィルタ処理が実施されることになる。したがって、例えば、低域のレベルが非常に高い音声が入力されてきた場合などには、レベル調整後に風きり音除去用ＨＰＦ１２２により低域音声部分がカットされ、最終的な録音データの音量が小さくなってしまう、という問題がある。
【００１５】
一方、図４の構成の場合には、ＰＧＡ１１２のゲインは常に固定であり、音質調整フィルタ処理部１６０でのフィルタ処理の後にレベル調整が行なわれるため、図３の構成で生じる問題は回避される。すなわち、風きり音除去用ＨＰＦ１６２等によりレベルが小さくなってしまうような場合でも、その後のＡＬＣ１４８での処理によりゲインが持ち上げられ音量がある程度一定に保たれる。しかしながら、図４の構成の場合には、アナログ信号処理ブロック１４４に対するレベル調整手段が無いため、マイク入力としてＡＤＣ１５４のフルスケール・レベルを超えてしまうような過大入力がなされた場合には、ＡＤＣ１５４でサチュレーションが発生し、音質が劣化してしまう、という問題がある。
【００１６】
このように、図３，４に示される構成にはそれぞれ一長一短があり、全てのケースに対応することができない。従って、どのような場合でも、音質が劣化せずに、出力されるディジタル信号のレベルが一定となるような装置が望まれている。
【００１７】
なお、入力信号に対するゲイン制御技術として、様々な技術が提案されている。例えば、集音手段によって集音された信号に対して該信号の各周波数帯ごとにゲイン補正を行なう音声入力方式が提案されている（下記特許文献１参照）。また、アナログ入力信号に高域増強エンファシスをかけてからアナログ−ディジタル変換を行なうシステムにおいて、アナログ入力信号のレベルを調整するアナログレベル調整器の設定ゲインを、エンファシス前の信号のレベルに相当する値とエンファシス後の信号のレベルが所定のレベルを超えた量とに基づいて、設定するようにしたオートゲインコントロール装置も提案されている（下記特許文献２参照。）。
【特許文献１】特開２００１−９４３７０号公報
【特許文献２】特開平９−１４８８６２号公報
【発明の開示】
【発明が解決しようとする課題】
【００１８】
しかしながら、上記特許文献１に記載の方式では、各周波数毎にゲインを調整しているため、処理が複雑になり、回路規模が増大する、という問題がある。
【００１９】
また、上記特許文献２に記載の装置では、結局はアナログ側でのゲイン調整しかしていないため、ディジタル変換された後に、信号レベルが変更され得る音質調整のためのフィルタ処理を行なう場合には、いくらアナログ側でゲイン調整したとしても該フィルタ処理後の出力ディジタル音声信号について常に一定のレベルが保証されるものではない。
【００２０】
本発明は、上述した課題を解決するために提案されたものであり、簡単な回路構成で、音質を劣化させずに、出力されるディジタル音声信号のレベルを一定に保つことができる信号処理装置を提供することを目的とする。
【課題を解決するための手段】
【００２１】
上記目的を達成するために、本発明の請求項１に係る信号処理装置は、外部から入力されたアナログ音声信号のレベルを、設定されたゲインで増幅する増幅手段と、前記増幅手段で増幅されたアナログ音声信号をディジタル音声信号に変換する変換手段と、前記ディジタル音声信号に対して、音質調整のための信号処理を施す音質調整処理手段と、前記音質調整処理手段による信号処理前のディジタル音声信号のレベルを検出し、該検出したレベルに基づいて、前記増幅手段に入力されたアナログ音声信号が前記増幅手段で所定のレベルに増幅されるように前記増幅手段のゲインを設定する設定手段と、前記音質調整処理手段による信号処理前のディジタル音声信号のレベルと、前記音質調整処理手段による信号処理後のディジタル音声信号のレベルとの差分を検出し、該検出した差分に応じたゲインで、前記音質調整処理手段による信号処理後のディジタル音声信号を増幅してレベル補正を行なう補正手段と、を備えている。
【００２２】
音質調整のための信号処理を行なうと、ディジタル音声信号のレベルが変動することがある。従って、上記発明のように、音質調整のための信号処理が行なわれる前のディジタル音声信号のレベルと、該信号処理された後のディジタル音声信号のレベルとの差分に応じたゲインで該信号処理されたディジタル音声信号を増幅してレベル補正を行なうことにより、レベル変動分が補償されて、常に一定レベルの出力が得られ、音質調整の信号処理で発生した全体的な音量の低下等を防止することができる。
【００２３】
また、本発明の請求項２に係る信号処理装置は、外部から入力されたアナログ音声信号のレベルを、設定されたゲインで増幅する増幅手段と、前記増幅手段で増幅されたアナログ音声信号をディジタル音声信号に変換する変換手段と、前記ディジタル音声信号に対して、音質調整のための信号処理を施す音質調整処理手段と、前記音質調整処理手段による信号処理前のディジタル音声信号のレベルを検出し、第１のレベル以上のレベルを検出した場合には、前記音質調整処理手段による信号処理前のディジタル音声信号のレベルが前記第１のレベル未満となるように前記増幅手段のゲインの設定値を低下させ、該設定値低下後に前記第１のレベル未満のレベルを検出した場合には、前記増幅手段のゲインの設定値を元に戻す設定手段と、前記音質調整処理手段による信号処理後のディジタル音声信号のレベルを検出し、該検出したレベルに応じたゲインで前記音質調整処理手段による信号処理後のディジタル音声信号を増幅して該ディジタル音声信号が第２のレベルとなるようにレベル補正を行なう補正手段と、を備えている。
【００２４】
このように、音質調整のための信号処理の後にディジタル音声信号が第２のレベル（例えば、録音レベルとして好適な予め定められたレベル）となるようにレベル補正を行なうと共に、音質調整のための信号処理が行なわれる前のディジタル音声信号のレベルを検出し、該検出したレベルが第１のレベル（例えば、変換手段のフルスケールレベルより若干小さいレベル）以上の場合には、増幅手段のゲインの設定値を低下させ、該設定値低下後に該第１のレベル未満のレベルを検出した場合には、増幅手段のゲインの設定値を元に戻すようにしたため、常に一定レベルの出力が得られると共に変換手段のサチュレーションの発生を低減させることが可能となり、音質の劣化を防止できる。
【発明の効果】
【００２５】
以上説明したように本発明によれば、簡単な回路構成で、音質を劣化させずに、出力されるディジタル信号のレベルを一定に保つことができる、という効果を奏する。
【発明を実施するための最良の形態】
【００２６】
以下、本発明の好ましい実施の形態について図面を参照しながら詳細に説明する。
【００２７】
［第１の実施の形態］
【００２８】
図１は、第１の実施の形態の信号処理装置１０の構成例を示す図である。本実施の形態の信号処理装置１０は、入力された音声を録音する録音経路に設けられ、入力端子１２、アナログ信号処理ブロック１４、ディジタル信号処理ブロック１６、ＡＬＣ（Auto Level Controller)１８、レベル差分検出器２０、補正ゲイン器２２、及び出力端子２４を備えている。
【００２９】
不図示のマイクを介して入力端子１２に入力されたアナログの音声信号は、アナログ信号処理ブロック１４に入力される。アナログ信号処理ブロック１４は、入力アンプであるＰＧＡ（Proguramable Gain Amplifire）３２、及びＡＤＣ（Analog-to-Digital Converter）３４を備えている。アナログ信号処理ブロック１４に入力されたアナログ音声信号は、まずＰＧＡ３２で増幅された後、ＡＤＣ３４でディジタル信号に変換され、後段のディジタル信号処理ブロック１６に入力される。
【００３０】
ＰＧＡ３２は外部制御可能（Programable）なアンプであり、そのゲインは任意の値に設定することができる。ここでは、ＰＧＡ３２のゲインは、ＡＬＣ１８からの制御信号に応じた値に設定され、ＰＧＡ３２は入力されたアナログ音声信号を該設定されたゲインで増幅する。また、本実施の形態では、ＡＤＣ３４として、ΣΔ型のＡＤＣを適用する。ΣΔ型のＡＤＣ３４は、例えば、１ビット、１２８Ｆｓ（ｘ１２８倍サンプリング・レート）などの低ビット高サンプリング・レートで、ディジタル音声信号を出力する。
【００３１】
ディジタル信号処理ブロック１６には、ＡＤＣ３４で変換されたディジタル音声信号が入力される。ディジタル信号処理ブロック１６は、デシメーションフィルタ３６、ＤＣカット用High Pass Filter（以下、ＨＰＦ）３８、及び音質調整フィルタ処理部４０を備えている。
【００３２】
デシメーションフィルタ３６は、ＡＤＣ３４から入力されたディジタル音声信号に対して間引き処理を行い、サンプリングレートを落としてＤＣカット用ＨＰＦ３８に入力する。前述したように、ΣΔ型のＡＤＣ３４からは低ビット高サンプリング・レートのディジタル音声信号が入力されるため、まずここで間引き処理を実行して、サンプリングレートを落とす（間引く）。ＤＣカット用ＨＰＦ３８は、間引き処理されたディジタル音声信号が入力されると、ＡＤＣ１１４でのディジタル変換で発生した余分な直流成分をカットする。
【００３３】
ＤＣカット用ＨＰＦ３８の後段には、ＡＬＣ１８が設けられている。ＡＬＣ１８は、ＤＣカット用ＨＰＦ３８から入力されたディジタル音声信号のレベルを検出し、該検出したレベルに基づいて、ＰＧＡ３２に入力されたアナログ音声信号が一定のレベルに増幅されるようにＰＧＡ３２のゲインを設定する。これにより、入力音声レベルが自動的に一定のレベルに調節される。ただし、無制限で一定にしてしまうと音声の抑揚感が全くなくなり、聴感上の違和感が出るため、本実施の形態では、Ｍａｘゲイン値の設定等により、ある程度の制限をかけている。ＡＬＣ１８は、ディジタル音声信号のレベルを検出してＰＧＡ３２に制御信号を出力する制御回路であって、入力したディジタル音声信号に対しては何ら信号処理を施すことなく、該入力したディジタル音声信号を後段の音質調整フィルタ処理部４０及びレベル差分検出器２０に出力する。
【００３４】
音質調整フィルタ処理部４０では音質調整のためのフィルタ処理が実行される。音質調整フィルタ処理部４０は、風きり音除去用High Pass Filter（ＨＰＦ）４２、およびノッチフィルタ４４を備えている。風きり音除去用ＨＰＦ４２は、マイクから入力された低域の風きり音成分を除去する。このフィルタは、所定のカットオフ周波数（例えば１００Ｈｚ〜２００Ｈｚ程度）で使用される。風きり音除去後、ノッチフィルタ４４は、実装する機器に応じて発生する特定周波数のノイズを除去する。
【００３５】
音質調整フィルタ処理部４０で音質調整されたディジタル音声信号は、その後段に設けられたレベル差分検出器２０及び補正ゲイン器２２に入力される。
【００３６】
レベル差分検出器２０には、音質調整フィルタ処理部４０のフィルタ処理前のディジタル音声信号と、音質調整フィルタ処理部４０のフィルタ処理後のディジタル音声信号とが入力される。レベル差分検出器２０は、入力された２つのディジタル音声信号のレベル（振幅、パワー等）の差分を検出し、検出した差分を補正ゲイン値として補正ゲイン器２２に出力する。例えば、フィルタ処理前のレベルからフィルタ処理後のレベルを減算した値が６ｄＢであれば、これを補正ゲイン値として補正ゲイン器２２に出力する。
【００３７】
補正ゲイン器２２には、ノッチフィルタ４４から音質調整されたディジタル音声信号が入力されると共に、レベル差分検出器２０から補正ゲイン値が入力される。補正ゲイン器２２は、入力された補正ゲイン値に従って、入力されたディジタル音声信号を予め定められた一定のレベルとなるように増幅する。これにより、音質調整フィルタ処理部４０で減衰したレベル分だけゲインを上げて増幅できるため、音質調整フィルタ処理部４０でフィルタ処理する前のレベルで出力することができる。
【００３８】
補正ゲイン器２２でレベル補正された後は、出力端子２４からレベル補正後のディジタル音声信号が録音データとして出力される。
【００３９】
このように、本実施の形態では、音質調整フィルタ処理部４０（風きり音除去用ＨＰＦ４２、及びノッチフィルタ４４）で減衰されたレベル分だけ補正ゲイン器２２で補正されるため、常に一定レベルの出力が得られ、例えば従来の装置で発生した低減音声のカット等による全体的な音量の低下等を防止することが可能となる。
【００４０】
［第２の実施の形態］
【００４１】
図２は、第２の実施の形態の信号処理装置５０の構成例を示す図である。本実施の形態の信号処理装置５０は、入力された音声を録音する録音経路に設けられ、入力端子５２、アナログ信号処理ブロック５４、ディジタル信号処理ブロック５６、ピークリミッタ５８、ＡＬＣ６０、及び出力端子６２を備えている。
【００４２】
不図示のマイクを介して入力端子５２に入力されたアナログの音声信号は、アナログ信号処理ブロック５４に入力される。アナログ信号処理ブロック５４は、ＰＧＡ７２及びＡＤＣ７４を備えている。ＰＧＡ７２及びＡＤＣ７４の機能は、第１の実施の形態のＰＧＡ３２及びＡＤＣ３４と同一であるが、ＰＧＡ７２のゲインは、ＡＬＣではなく、ピークリミッタ５８により設定され制御される。
【００４３】
アナログ信号処理ブロック５４の後段に設けられたディジタル信号処理ブロック５６には、第１の実施の形態の信号処理装置１０のディジタル信号処理ブロック１６と同様に、デシメーションフィルタ７６、ＤＣカット用ＨＰＦ７８、及び音質調整フィルタ処理部８０を備えている。デシメーションフィルタ７６、ＤＣカット用ＨＰＦ７８の機能は第１の実施の形態と同様であるため説明を省略する。また、音質調整フィルタ処理部８０も、第１の実施の形態の音質調整フィルタ処理部４０と同様に、風きり音除去用ＨＰＦ８２、ノッチフィルタ８４を備えており、第１の実施の形態と同様に風きり音除去、ノイズ除去を行なう。
【００４４】
また、本実施の形態では、音質調整フィルタ処理部８０の後段に、ＡＬＣ６０が設けられている。ＡＬＣ６０は、増幅機能を備え、入力されたディジタル音声信号のレベルに応じて該増幅機能のゲインを設定し、該設定したゲインを乗算して入力されたディジタル音声信号を増幅し、常に一定レベルの出力となるようにレベル調整を行なう。ディジタル音声信号は、ＡＬＣ６０でレベル調整が行なわれた後、出力端子６２から録音データとして出力される。
【００４５】
本実施の形態では、音質調整フィルタ処理部８０の前段に、ピークリミッタ５８が設けられている。
【００４６】
ピークリミッタ５８には、ＤＣカット用ＨＰＦ７８でＤＣカットされた後のディジタル音声信号が入力される。ピークリミッタ５８は、該入力されたディジタル音声信号のレベルを検出する機能を備え、ＡＤＣ７４のフルスケールレベルを越えそうな過大なディジタル音声信号が入力された際に、ＰＧＡ７２のゲインを下げて、ＡＤＣ７４のサチュレーションの発生を抑制するモジュールである。ピークリミッタ５８は、信号レベルの検出、ゲインの制御はするものの、入力されたディジタル音声信号に対しては何ら信号処理を施すことなく、後段の音質調整フィルタ処理部８０に出力する。
【００４７】
ここで、ピークリミッタ５８の作用について具体的に説明する。まず、ピークリミッタ５８には、予めＡＤＣ７４のフルスケールレベルより若干小さい値（例えば、フルスケールレベルの９０％程度）を閾値として設定しておく。ピークリミッタ５８は、該設定されている閾値以上のレベルのディジタル音声信号を検出した場合には、有効となって、入力されるディジタル音声信号が該閾値未満のレベルとなるようにＰＧＡ７２のゲインの設定値を低下させる。これにより、ＡＤＣ７４に入力されるアナログ音声信号を、ＡＤＣ７４でサチュレーションが発生しないレベルまで低下させることができる。
【００４８】
また、ピークリミッタ５８は、上記設定値を低下させた後に、閾値未満のレベルを検出した場合には、ＰＧＡ７２のゲインの設定値を元の値に戻す。なお、設定値を元の値に戻した後は、上記閾値以上のレベルのディジタル音声信号が入力されるまで無効化されるように設計されている。
【００４９】
このような構成により、ピークリミッタ５８に設定されている閾値以下の通常レベルのディジタル音声信号を録音している間は、ピークリミッタ５８は無効であるため、ディジタル音声信号はそのまま録音経路を通過していき、音質調整フィルタ処理部８０でフィルタ処理された後、最後段のＡＬＣ６０で適度なレベルに調整され出力される（通常は、ＡＬＣ６０では＋ゲインで増幅される）。
【００５０】
一方、ＡＤＣ７４でサチュレーションが発生するような過大なレベルの音声信号が入力された場合には、ピークリミッタ５８が有効となり、サチュレーションが解消されるレベルまでＰＧＡ７２のゲインの設定値が減少される。ピークリミッタ５８で過大レベルのディジタル音声信号が検出されなくなり、サチュレーションの発生しない通常レベルに戻ると、ピークリミッタ５８はＰＧＡ７２のゲインの設定値を元に戻す（低下させる前の元の値まで増加させる）。
【００５１】
このように、本実施の形態では、音質調整フィルタ処理部８０の前段にピークリミッタ５８を設け、音質調整フィルタ処理部８０の後段にディジタル音声信号のレベル補正を行なうＡＬＣ６０を設けたため、常に一定レベルの出力が得られると共にＡＤＣ７４のサチュレーションの発生を低減させることが可能となり、結果、過大レベルの音声信号が入力された場合であっても音質を向上させることができる。
【００５２】
なお、本発明は、上述した実施の形態に限定されるものではなく、特許請求の範囲に記載された発明の範囲内で様々な設計上の変更を行うことができる。
【００５３】
例えば、第１の実施の形態における補正ゲイン器２２のゲイン制御、或いは第２の実施の形態のピークリミッタ５８やＡＬＣ６０におけるゲイン制御については、目標となる設定値まで一気に変更するのではなく、アタックタイム（ここでは、ゲインの変更を開始してから、目標とする値に達するまでの時間）や、ディケイタイム（ここでは、ゲインを変更した後、元に戻すときに要する時間）等を適度に設定し、ゲインの上げ下げを行なうようにしてもよい。これにより、ゲインの上げ下げに起因する聴感上の違和感を緩和させることができる。
【図面の簡単な説明】
【００５４】
【図１】第１の実施の形態の信号処理装置の構成例を示す図である。
【図２】第２の実施の形態の信号処理装置の構成例を示す図である。
【図３】従来の信号処理装置の構成例を示す図である。
【図４】従来の他の信号処理装置の構成例を示す図である。
【符号の説明】
【００５５】
１０   信号処理装置
１２   入力端子
１４   アナログ信号処理ブロック
１６   ディジタル信号処理ブロック
２０   レベル差分検出器
２２   補正ゲイン器
２４   出力端子
３２   ＰＧＡ
３４   ＡＤＣ
３６   デシメーションフィルタ
３８   ＤＣカット用ＨＰＦ
４０   音質調整フィルタ処理部
４２   風きり音除去用ＨＰＦ
４４   ノッチフィルタ
５０   信号処理装置
５２   入力端子
５４   アナログ信号処理ブロック
５６   ディジタル信号処理ブロック
５８   ピークリミッタ
６２   出力端子
７２   ＰＧＡ
７４   ＡＤＣ
７６   デシメーションフィルタ
７８   ＤＣカット用ＨＰＦ
８０   音質調整フィルタ処理部
８２   風きり音除去用ＨＰＦ
８４   ノッチフィルタ
【図１】
0005210040.tif 000002
【図２】
0005210040.tif 000003
【図３】
0005210040.tif 000004
【図４】
0005210040.tif 000005